(57)【要約】【課題】加熱されても反りが生じにくい戸体を有する建具を提供する。【解決手段】枠体と、前記枠体に回動自在に支持されて開口を閉塞可能な戸体と、を有し、前記戸体は戸先に金属製の戸先縦骨材を備えており、前記戸先縦骨材は、前記戸体の厚み方向に沿う厚み方向壁部と、前記厚み方向壁部の、前記戸体を開くときに戸先が移動する開放側に設けられ吊り元側に延出された開放側延出片と、を有し、前記厚み方向壁部の、前記開放側とは反対の閉塞側は、吊り元側に延出されていない。【選択図】図５
2018199960.tif 000002
【特許請求の範囲】
【請求項１】
枠体と、前記枠体に回動自在に支持されて開口を閉塞可能な戸体と、を有し、
前記戸体は戸先に金属製の戸先縦骨材を備えており、
前記戸先縦骨材は、
前記戸体の厚み方向に沿う厚み方向壁部と、
前記厚み方向壁部の、前記戸体を開くときに戸先が移動する開放側に設けられ吊り元側に延出された開放側延出片と、を有し、
前記厚み方向壁部の、前記開放側とは反対側の閉塞側は、吊り元側に延出されていないことを特徴とする建具。
【請求項２】
枠体と、前記枠体に回動自在に支持されて開口を閉塞可能な戸体と、を有し、
前記戸体は戸先に金属製の戸先縦骨材を備えており、
前記戸先縦骨材は、
前記戸体の厚み方向に沿う厚み方向壁部と、
前記厚み方向壁部の、前記戸体を開くときに戸先が移動する開放側に設けられ吊り元側に延出された開放側延出片と、を有し、
前記厚み方向壁部の、前記開放側とは反対の閉塞側は、吊り元側に延出された閉塞側延出片が設けられている部位と設けられていない部位とを有していることを特徴とする建具。
【請求項３】
枠体と、前記枠体に回動自在に支持されて開口を閉塞可能な戸体と、を有し、
前記戸体は戸先に金属製の戸先縦骨材を備えており、
前記戸先縦骨材は、
前記戸体の厚み方向に沿う厚み方向壁部と、
前記厚み方向壁部の、前記戸体を開くときに戸先が移動する開放側に設けられ吊り元側に延出された開放側延出片と、を有し、
前記厚み方向壁部の、前記開放側とは反対の閉塞側には、吊り元側に延出された閉塞側延出片が設けられており、
前記閉塞側延出片は、延出長さが互いに異なる部位を有していることを特徴とする建具。
【請求項４】
請求項２または請求項３に記載の建具であって、
前記閉塞側延出片は、前記開放側延出片より延出長さが短い短延出片を有していることを特徴とする建具。
【請求項５】
請求項４に記載の建具であって、
前記枠体は、前記戸体を閉じたときに前記戸先の閉塞側の面が当接される戸当たり部材を有しており、
前記短延出片の延出されている先端は、前記戸当たり部材の吊り元側の縁より戸先側に位置していることを特徴とする建具。
【請求項６】
請求項４に記載の建具であって、
前記枠体は、前記戸体を閉じたときに前記戸先の閉塞側の面が当接される戸当たり部材を保持する戸当たり部材保持部を有しており、
前記短延出片の延出されている先端は、前記戸当たり部材保持部の吊り元側の縁より戸先側に位置していることを特徴とする建具。
【請求項７】
請求項２乃至請求項６のいずれかに記載の建具であって、
前記戸体は上部に設けられる上横骨材と、下部に設けられる下横骨材と、を有し、
前記戸先縦骨材の上端部には、前記上横骨材と係合して当該上横骨材とのなす角度を規制する上規制部が設けられ、前記戸先縦骨材の下端部には、前記下横骨材と係合して当該下横骨材とのなす角度を規制する下規制部が設けられていることを特徴とする建具。
【発明の詳細な説明】
【技術分野】
【０００１】
本発明は、枠体に回動自在に支持された戸体を有する建具に関する。
【背景技術】
【０００２】
建具が備える戸体として、たとえば、枠組みされた枠体の枠内に配置され、ピボットヒンジを用いて枠体に開閉可能に取り付けられている戸体が知られている（例えば、特許文献１参照）。この戸体は、コ字状の断面を有する棒状の部材でなる芯材が矩形枠状に形成され、室内側鋼板及び室外側鋼板の間に４辺の端部に沿って配置されている。
【先行技術文献】
【特許文献】
【０００３】
【特許文献１】特開２０１３−１１９７０９号公報
【発明の概要】
【発明が解決しようとする課題】
【０００４】
上述した戸体のコ字状の断面を有する芯材は、戸体を閉じた状態にて見込み方向に沿う見込み面を形成する部位と、見込み面を形成する部位の見込み方向における両端部から面内方向に延出された延出片と、を有している。このため、戸体の一方の面側を火元とする火災により戸体が加熱された場合には、火元側の延出片が加熱されることにより、芯材の火元側の延出片の方が火元と反対側の延出片より延びが大きいため芯材に反りが生じる。
【０００５】
枠体に開閉可能に取り付けられている戸体は、戸体を開く際に戸先が移動する開放側とは反対側は、戸体の外周部が枠体と対向しているため、戸体が開放側から加熱される場合よりも、開放側とは反対側から加熱される場合の方が、反り量が大きくなる。また、芯材は、戸体がヒンジ等により規制されている吊り元側より、ラッチなどにて規制されている戸先側の方が、反りが生じやすい。
【０００６】
このため、開放側とは反対側から加熱される場合には、ラッチなどにより規制されている戸先側の縦の芯材が、ラッチなどにより規制されている部位から離れるにつれて、より大きく枠体との間隔が開く方向に移動し、戸体の上下端部と枠体との間に貫通孔が生じてしまう虞がある。
本発明は、かかる課題に鑑みてなされたものであり、その目的とするところは、加熱されても反りが生じにくい戸体を有する建具を提供することにある。
【課題を解決するための手段】
【０００７】
かかる目的を達成するために本発明の建具は、枠体と、前記枠体に回動自在に支持されて開口を閉塞可能な戸体と、を有し、前記戸体は戸先に金属製の戸先縦骨材を備えており、前記戸先縦骨材は、前記戸体の厚み方向に沿う厚み方向壁部と、前記厚み方向壁部の、前記戸体を開くときに戸先が移動する開放側に設けられ吊り元側に延出された開放側延出片と、を有し、前記厚み方向壁部の、前記開放側とは反対側の閉塞側は、吊り元側に延出されていないことを特徴とする建具である。
【０００８】
このような建具によれば、戸体が備える戸先縦骨材の閉塞側は吊り元側に延出されていないので、たとえ戸体の閉塞側が加熱されたとしても戸先縦骨材の閉塞側は加熱されにくく、戸先縦骨材は反りが生じにくい。このため、加熱されても反りが生じにくい戸体を有する建具を提供することが可能である。
【０００９】
また、枠体と、前記枠体に回動自在に支持されて開口を閉塞可能な戸体と、を有し、前記戸体は戸先に金属製の戸先縦骨材を備えており、前記戸先縦骨材は、前記戸体の厚み方向に沿う厚み方向壁部と、前記厚み方向壁部の、前記戸体を開くときに戸先が移動する開放側に設けられ吊り元側に延出された開放側延出片と、を有し、前記厚み方向壁部の、前記開放側とは反対の閉塞側は、吊り元側に延出された閉塞側延出片が設けられている部位と設けられていない部位とを有していることを特徴とする建具である。
【００１０】
このような建具によれば、戸体が備える戸先縦骨材の閉塞側は、吊り元側に延出された閉塞側延出片が設けられていない部位を有しているので、たとえ戸体の閉塞側が加熱されたとしても、戸先縦骨材の閉塞側に閉塞側延出片が全長に亘って設けられている場合より加熱されにくく、戸先縦骨材は反りが生じにくい。このため、加熱されても反りが生じにくい戸体を有する建具を提供することが可能である。
【００１１】
また、枠体と、前記枠体に回動自在に支持されて開口を閉塞可能な戸体と、を有し、前記戸体は戸先に金属製の戸先縦骨材を備えており、前記戸先縦骨材は、前記戸体の厚み方向に沿う厚み方向壁部と、前記厚み方向壁部の、前記戸体を開くときに戸先が移動する開放側に設けられ吊り元側に延出された開放側延出片と、を有し、前記厚み方向壁部の、前記開放側とは反対の閉塞側には、吊り元側に延出された閉塞側延出片が設けられており、前記閉塞側延出片は、延出長さが互いに異なる部位を有していることを特徴とする建具である。
【００１２】
このような建具によれば、戸体が備える戸先縦骨材の閉塞側に設けられ吊り元側に延出されている閉塞側延出片は、延出長さが互いに異なる部位を有しているので、たとえ戸体の閉塞側が加熱されたとしても、戸先縦骨材の閉塞側延出片の延出長さが全長に亘って長い場合より加熱されにくく、戸先縦骨材は反りが生じにくい。このため、加熱されても反りが生じにくい戸体を有する建具を提供することが可能である。
【００１３】
かかる建具であって、前記閉塞側延出片は、前記開放側延出片より延出長さが短い短延出片を有していることが望ましい。
戸体は、外周部が閉塞側にて枠体と対向しているので、戸体が開放側から加熱される場合よりも、閉塞側から加熱される場合の方が、反り量が大きくなる。このため、上記建具のように、閉塞側延出片が開放側延出片より延出長さが短い短延出片を有していると閉塞側延出片が加熱されにくいので、閉塞側から加熱されたときの戸先縦骨材の反りの抑制により有効である。
【００１４】
かかる建具であって、前記枠体は、前記戸体を閉じたときに前記戸先の閉塞側の面が当接される戸当たり部材を有しており、前記短延出片の延出されている先端は、前記戸当たり部材の吊り元側の縁より戸先側に位置していることが望ましい。
【００１５】
このような建具によれば、短延出片の閉塞側は、戸当たり部材が配置されているので、戸体が閉塞側から加熱されたとしても短延出片はより加熱されにくい。このため、より反りが生じにくい戸体を有する建具を提供することが可能である。
【００１６】
かかる建具であって、前記枠体は、前記戸体を閉じたときに前記戸先の閉塞側の面が当接される戸当たり部材を保持する戸当たり部材保持部を有しており、前記短延出片の延出されている先端は、前記戸当たり部材保持部の吊り元側の縁より戸先側に位置していることが望ましい。
【００１７】
このような建具によれば、短延出片の閉塞側は、戸当たり部材保持部が配置されているので、戸体が閉塞側から加熱されたとしても短延出片はより加熱されにくい。このため、より反りが生じにくい戸体を有する建具を提供することが可能である。
【００１８】
かかる建具であって、前記戸体は上部に設けられる上横骨材と、下部に設けられる下横骨材と、を有し、前記戸先縦骨材の上端部には、当該戸先縦骨材の長手方向において前記上横骨材と対向する上対向部が設けられ、前記戸先縦骨材の下端部には、当該戸先縦骨材の長手方向において前記下横骨材と対向する下対向部が設けられていることが望ましい。
【００１９】
このような建具によれば、上横骨材及び下横骨材と戸先縦骨材とは、当該戸先縦骨材の長手方向において対向しているので、戸先縦骨材が加熱されて伸長する際には、上横骨材及び下横骨材により戸先縦骨材の延びが抑制される。このため、より反りが生じにくい戸体を有する建具を提供することが可能である。
【発明の効果】
【００２０】
本発明によれば、加熱されても反りが生じにくい戸体を有する建具を提供することが可能である。
【図面の簡単な説明】
【００２１】
【図１】本実施形態に係る建具を示す縦断面図である。
【図２】本実施形態に係る建具を示す水平断面図である。
【図３】開口枠及び補強部材を室内側から見た図である。
【図４】図３におけるＡ矢視図である。
【図５】図５（ａ）は、玄関ドアの図３のＢ−Ｂ位置における断面図、図５（ｂ）は、玄関ドアの図３のＣ−Ｃ位置における断面図、図５（ｃ）は、玄関ドアの図３のＤ−Ｄ位置における断面図である。
【図６】戸先縦骨材を示す斜視図である。
【図７】短延出片を有する戸先縦骨材を示す断面図である。
【図８】図８（ａ）は、均一の延出長さの短延出片を備えた戸先縦骨材を示す断面図、図８（ｂ）は、全長に亘って室内延出片が設けられていない戸先縦骨材を示す断面図である。
【発明を実施するための形態】
【００２２】
以下、本発明の一実施形態に係る建具について図面を参照して説明する。
本実施形態では、図１、図２に示すように、戸体として玄関ドア３を備えた建具１を例に挙げて説明する。
【００２３】
以下の説明においては、例えば、建具１が建物等の躯体に取り付けられた状態を室内側から見たときに、上下となる方向を上下方向、閉じた玄関ドア３の幅となる方向を左右方向、室内外方向を見込み方向として示す。また、建具１を構成する各部材及び各部位については、単体の状態であっても建具１が躯体に取り付けられて玄関ドア３が閉じている状態で上下方向、左右方向、見込み方向等となる方向にて方向を特定して説明する。
【００２４】
本実施形態の建具１は、矩形状に枠組みされて躯体（不図示）に固定され、室内外を連通する開口１ａを形成する枠体としての開口枠２と、開口枠２にヒンジ４を介して回動自在に支持されて開口１ａを室外側から閉塞可能な玄関ドア３と、を有している。すなわち、本実施形態においては、玄関ドア３を開くときに戸先が移動する室外側が開放側に相当し、室内側が、開放側とは反対側の閉塞側に相当する。また、閉じた状態の玄関ドア３は、戸先側の上下方向における中央近傍に設けられたラッチ３ａが開口枠２に設けられた受け部材５と係合して閉止した状態が維持される。
【００２５】
開口枠２は、上枠２１、下枠２２および左右の縦枠２３、２４を有し、上枠２１、下枠２２および縦枠２３、２４には、見込み方向における中央より室内側の部位から、矩形状の内側に突出する内側突出部２１ａ、２２ａ、２３ａ、２４ａが各々設けられている。躯体に取り付けられた状態では、各内側突出部２１ａ、２２ａ、２３ａ、２４ａは、見込み方向において同じ位置に配置され同一面を形成すると共に、室外側に軟質合成樹脂製の戸当たり部材２０を保持している。ここで、右側、すなわち戸先側の縦枠２４の内側突出部２４ａが、戸体を閉じたときに戸先の閉塞側の面が当接される戸当たり部材を保持する戸当たり部材保持部に相当する。
【００２６】
戸当たり部材２０には、開口枠２に取り付けられた玄関ドア３が閉じられたときに、当該玄関ドア３の室内側の面の周端部が室外側から当接される。すなわち、玄関ドア３の室内側の面の周端部は、内側突出部２１ａ、２２ａ、２３ａ、２４ａ及び戸当たり部材２０と見込み方向において対向している。
【００２７】
戸先側に位置する右の縦枠２４の内側突出部２４ａは、見込み方向に沿う見込壁部２４ｂから突出されており、見込壁部２４ｂには加熱されて発泡する加熱発泡材２５が設けられている。加熱発泡材２５は、見込壁部２４ｂの内周面側、すなわち左側の縦枠２３と対向する側に設けられており、内側突出部２４ａの室外側に設けられている戸当たり部材２０と左右方向において対向する位置に設けられている。
【００２８】
玄関ドア３は、左右の縦枠２３、２４のうちの、図２において左側に位置する縦枠２３にヒンジ４を介して取り付けられており、図２において右側に位置する縦枠２４には、玄関ドア３の戸先に設けられているラッチ３ａ及び錠３ｂと係合する受け部材５が設けられている。以下の説明においては、図２において左側を吊元側とし、図２において右側を戸先側として説明する。
【００２９】
玄関ドア３は、閉じた状態で開口枠２の内周側に配置されており、玄関ドア３の四辺に沿って矩形状に配置されたスチールなどの金属製の扉枠３０と、扉枠３０の室内側及び室外側にそれぞれ設けられて互いに対面する金属製の一対の表面材３１、３２と、玄関ドア３の戸先側に設けられるアルミニウム製のエッジ材３３と、ラッチ３ａ及び錠３ｂを備えエッジ材３３を介して扉枠３０に固定されられる錠ケース３４と、錠ケース３４が設けられる部位を補強する金属製の補強部材３５と、を有している。
【００３０】
扉枠３０は、玄関ドア３の上部に設けられる上横骨材３０１と、玄関ドア３の下部に設けられる下横骨材３０２と、玄関ドア３の戸先側に設けられる戸先縦骨材３０３と、玄関ドア３の吊り元側に設けられる吊元縦骨材３０４とを有し、各々断面が同一形状のコ字状をなしている。より具体的には、上横骨材３０１、下横骨材３０２、戸先縦骨材３０３および吊元縦骨材３０４は各々、玄関ドア３を閉じた状態で見込み方向に沿う見込み壁部３０１ａ、３０２ａ、３０３ａ、３０４ａと、見込み壁部３０１ａ、３０２ａ、３０３ａ、３０４ａの室内側の縁及び室外側の縁からそれぞれ、延出された室内延出片３０１ｂ、３０２ｂ、３０３ｂ、３０４ｂ及び室外延出片３０１ｃ、３０２ｃ、３０３ｃ、３０４ｃとを有している。ここで、見込み壁部３０１ａ、３０２ａ、３０３ａ、３０４ａが戸体の厚み方向に沿う厚み方向壁部に相当し、室内延出片３０１ｂ、３０２ｂ、３０３ｂ、３０４ｂが閉塞側延出片に相当し、室外延出片３０１ｃ、３０２ｃ、３０３ｃ、３０４ｃが開放側延出片に相当する。
【００３１】
上横骨材３０１と下横骨材３０２との室内延出片３０１ｂ、３０２ｂと室外延出片３０１ｃ、３０２ｃとは、上横骨材３０１と下横骨材３０２とが互いに対向する側に延出されており、戸先縦骨材３０３と吊元縦骨材３０４との室内延出片３０３ｂ、３０４ｂと室外延出片３０３ｃ、３０４ｃとは、戸先縦骨材３０３と吊元縦骨材３０４とが互いに対向する側に延出されている。このため、上横骨材３０１、下横骨材３０２、戸先縦骨材３０３および吊元縦骨材３０４はいずれもコ字状の開放されている側が、扉枠３０の中央側を向くように配置されている。
【００３２】
図３に示すように、戸先縦骨材３０３と吊元縦骨材３０４との室内延出片３０３ｂ、３０４ｂ及び室外延出片３０３ｃ、３０４ｃには、両端部に各々直角に切除された切欠部３０３ｄ、３０４ｄが設けられており、切欠部３０３ｄ、３０４ｄのエッジと、上横骨材３０１と下横骨材３０２との室内延出片３０１ｂ、３０２ｂ及び室外延出片３０１ｃ、３０２ｃの端部のエッジとを互いに対向させ突き合わせて矩形状に配置されている。
【００３３】
図４に示すように、戸先縦骨材３０３の見込み壁部３０３ａには、戸先縦骨材３０３に設けられる２つの錠ケース３４が戸先側から挿入される２つの錠ケース挿入孔３０３ｅと、２つの錠ケース挿入孔３０３ｅの上下にそれぞれ設けられ錠ケース３４をビス止めするためビス孔３０３ｆとが設けられている。
【００３４】
図３〜図６に示すように、戸先縦骨材３０３の室内延出片３０３ｂは、切欠部３０３ｄが形成され上端側の上対向部としての上端延出片３０３ｇと、切欠部３０３ｄが形成され下端側の下対向部としての下端延出片３０３ｈと、２つの錠ケース３４が配置される位置に設けられる錠ケース取付延出片３０３ｉとがなしており、その他の部位には室内延出片３０３ｂは設けられていない。
【００３５】
本実施形態においては、図５（ａ）、図５（ｂ）に示すように、上端延出片３０３ｇ、下端延出片３０３ｈ、及び、錠ケース取付延出片３０３ｉの見込み壁部３０３ａからの延出長さＬ１と、室外延出片３０３ｃの見込み壁部３０３ａからの延出長さＬ２とが等しく形成されている。また、図５（ｃ）に示すように、室内延出片３０３ｂにおける上端延出片３０３ｇ、下端延出片３０３ｈ、及び、錠ケース取付延出片３０３ｉを除く部位は、見込み壁部３０３ａから延出される部位が全く設けられていない。すなわち、本実施形態においては、上端延出片３０３ｇ、下端延出片３０３ｈ、及び、錠ケース取付延出片３０３ｉが、戸先縦骨材３０３における室内延出片３０３ｂが設けられている部位であり、上端延出片３０３ｇ、下端延出片３０３ｈ、及び、錠ケース取付延出片３０３ｉを除く部位が、戸先縦骨材３０３における室内延出片３０３ｂが設けられていない部位である。
【００３６】
錠ケース取付延出片３０３ｉは、戸先縦骨材３０３の見込み壁部３０３ａに設けられている２つの錠ケース挿入孔３０３ｅの室内側に延出されており、各錠ケース挿入孔３０３ｅの上下に設けられているビス孔３０３ｆの間隔より上下方向に広い範囲に設けられている。
【００３７】
補強部材３５は、錠ケース取付延出片３０３ｉの上下方向の幅とほぼ同じ幅を有し、水平断面がコ字状をなしている。補強部材３５はコ字状の開放されている側が戸先縦骨材３０３側に向くように配置され、戸先縦骨材３０３と補強部材３５とを対向させて配置されたときに戸先縦骨材３０３と補強部材３５とにより形成される空間内に、戸先縦骨材３０３に取り付けられて錠ケース挿入孔３０３ｅから挿入されている錠ケース３４が収容されるように構成されている。
【００３８】
一対の表面材３１、３２は、周端部が扉枠３０の外周に沿って互いに対向する側に向かって折り曲げられており、表面材３１、３２と扉枠３０とは、扉枠３０に囲まれる空間に収容される断熱材（不図示）及び補強部材３５とともに、室内外から各々接着されている。
【００３９】
本実施形態の建具１によれば、玄関ドア３の戸先縦骨材３０３は、上端延出片３０３ｇ、下端延出片３０３ｈ、及び、錠ケース取付延出片３０３ｉを除く部分に、見込み壁部３０３ａから延出された部位が設けられていないので、室内側を火元とする火災等により玄関ドア３が加熱されたとしても、室内延出片３０３ｂが戸先縦骨材３０３の全長に亘って設けられている場合より戸先縦骨材３０３が加熱されにくく、戸先縦骨材３０３は反りが生じにくい。このため、加熱されても反りが生じにくい玄関ドア３を有する建具１を提供することが可能である。
【００４０】
また、戸先縦骨材３０３の室外延出片３０３ｃは戸先縦骨材３０３の全長に亘って設けられており、室内側には上端延出片３０３ｇ、下端延出片３０３ｈ、及び、錠ケース取付延出片３０３ｉを除く部分に、見込み壁部３０３ａから延出された部位が設けられていない。すなわち、戸先縦骨材３０３は室外に向く面より室内に向く面の方が、面積が小さい。このため、室外側及び室内側の両側から加熱された場合であっても、玄関ドア３と開口枠２との間隔が開くような戸先縦骨材３０３の反りを抑制することが可能である。
【００４１】
また、上横骨材３０１及び下横骨材３０２と戸先縦骨材３０３及び吊元縦骨材３０４とは、戸先縦骨材３０３及び吊元縦骨材３０４の切欠部３０３ｄ、３０４ｄと上横骨材３０１と下横骨材３０２の端部とのエッジが対向して突き合わされているので、戸先縦骨材３０３及び吊元縦骨材３０４が加熱されて伸長する際には、上横骨材３０１及び下横骨材３０２により戸先縦骨材３０３及び吊元縦骨材３０４の延びが抑制される。このため、より反りが生じにくい玄関ドア３を有する建具１を提供することが可能である。
【００４２】
また、戸先縦骨材３０３及び吊元縦骨材３０４の切欠部３０３ｄ、３０４ｄは、室内側と室外側とに設けられているので、戸先縦骨材３０３及び吊元縦骨材３０４の室内側及び室外側のいずれにおいても伸長が抑制される。このため、戸先縦骨材３０３及び吊元縦骨材３０４の加熱による捻れも抑制することが可能である。
【００４３】
上記実施形形態においては、戸先縦骨材３０３の、上端延出片３０３ｇ、下端延出片３０３ｈ、及び、錠ケース取付延出片３０３ｉを除く部分に、見込み壁部３０３ａから延出された部位が設けられていない例について説明したが、これに限るものではない。たとえば、図７に示すように、上端延出片３０３ｇ、下端延出片３０３ｈ、及び、錠ケース取付延出片３０３ｉの、見込み壁部３０３ａからの延出長さＬ１より短い長さの短延出片３０３ｊが設けられていてもよい。
【００４４】
すなわち、この戸先縦骨材３０３の室内延出片３０３ｂは、見込み壁部３０３ａから延出長さが互いに異なる部位を有している。この場合にも、室内延出片３０３ｂが戸先縦骨材３０３の全長に亘って設けられている場合より戸先縦骨材３０３が加熱されにくく、戸先縦骨材３０３は反りが生じにくい。このため、加熱されても反りが生じにくい玄関ドア３を有する建具１を提供することが可能である。このとき、短延出片３０３ｊの延出された先端３０３ｋが、戸当たり部材２０の吊り元側の縁２０ａより戸先側に位置するように構成すると、短延出片３０３ｊは、戸当たり部材２０により覆われて加熱されにくいので、戸先縦骨材３０３に反りが生じることをより抑制することが可能である。
【００４５】
また、短延出片３０３ｊの延出された先端３０３ｋが、戸当たり部材２０を保持している内側突出部２４ａの吊り元側の縁２４ｃより戸先側に位置するように構成されていてもよい。この場合には、短延出片３０３ｊは、内側突出部２４ａにより覆われて加熱されにくいので、戸先縦骨材３０３に反りが生じることをより抑制することが可能である。すなわち、短延出片３０３ｊの延出された先端３０３ｋは、戸当たり部材２０の吊り元側の縁２０ａ及び内側突出部２４ａの吊り元側の縁２４ｃのうちの、少なくともいずれか一方より戸先側に位置するように構成されていることが望ましい。
【００４６】
上記実施形態において、戸当たり部材２０が可燃性の部材の場合、或いは、不燃性または難燃性であってもひび割れ等が生じた場合には、戸当たり部材２０が消失する、或いは、戸当たり部材２０を火炎が貫通する虞がある。上記実施形態においては、内側突出部２４ａの見込壁部２４ｂに加熱されて発泡する加熱発泡材２５が、戸当たり部材２０と左右方向に対向する位置に設けられているので、戸当たり部材２０が消失、或いは、戸当たり部材２０を火炎が貫通した場合であっても、加熱発泡材２５が加熱されて発泡することにより、玄関ドア３と内側突出部２４ａとの間が塞がれるため、短延出片３０３ｊは、加熱発泡材２５により覆われて加熱されにくいので、戸先縦骨材３０３に反りが生じることをより抑制することが可能である。さらに、加熱発泡材２５が加熱されて発泡することにより、玄関ドア３と右側の縦枠２４との間が塞がれるため、火炎が室外側に貫通することを防止することが可能である。
【００４７】
また、上記実施形態においては、戸先縦骨材３０３が室内側に、上端延出片３０３ｇ、下端延出片３０３ｈ、及び、錠ケース取付延出片３０３ｉを備えている例について説明したが、上端延出片、下端延出片、及び、錠ケース取付延出片は必ずしも設けられていなくとも構わない。この場合には、例えば、図８（ａ）に示すように、戸先縦骨材３０３が室内側に全長に亘って、均一の延出長さの短延出片３０３ｊを備える、或いは、図８（ｂ）に示すように全長に亘って室内延出片３０３ｂを設けないこととし、錠ケース取付延出片が短い、或いは、設けられていない分だけ室内側の部位が長い補強部材３５を用いれば構わない。
【００４８】
上記実施形態においては、屋内外の間に設けられる玄関ドア３を備えた建具１を例に挙げて説明したが、これに限らず、室内外の間に設けられる戸体を備えた建具であっても構わない。
【００４９】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５０】
１  建具、１ａ  開口、２  開口枠、３  玄関ドア、２０  戸当たり部材、
２０ａ  戸当たり部材の吊り元側の縁、２４ａ  内側突出部、
２４ｃ  内側突出部の吊り元側の縁、３０１  上横骨材、
３０２  下横骨材、３０３  戸先縦骨材、３０３ａ  見込み壁部、
３０３ｂ  室内延出片、３０３ｃ  室外延出片、３０３ｄ  切欠部、
３０３ｇ  上端延出片、３０３ｈ  下端延出片、３０３ｉ  錠ケース取付延出片、
３０３ｊ  短延出片、３０３ｋ  短延出片の先端、
【図１】
2018199960.tif 000003
【図２】
2018199960.tif 000004
【図３】
2018199960.tif 000005
【図４】
2018199960.tif 000006
【図５】
2018199960.tif 000007
【図６】
2018199960.tif 000008
【図７】
2018199960.tif 000009
【図８】
2018199960.tif 000010